(57)【要約】      （修正有）【課題】正しい前後の向きで素早く装着可能な吸収性物品、その包装体、及びその包装体のパッケージを提供する。【解決手段】前後方向、及び、幅方向を備え、吸収体と、所定の機能を発揮する温感剤３０が配置された配置領域３１と、を有する吸収性物品１であって、肌側シート３及び温感剤保持シート７に、それぞれ温感剤配置領域３１１が設けられている。配置領域３１は、吸収性物品１の前後方向の中心に対して非対称に配置されており、吸収性物品１の肌面側から視認可能な、前後方向を示す表示部を有する。【選択図】図６
0003227494.tif 000002
【実用新案登録請求の範囲】
【請求項１】
前後方向、及び、幅方向を備え、
吸収体と、
所定の機能を発揮する剤が配置された配置領域と、を有する吸収性物品であって、
前記配置領域は、前記吸収性物品の前記前後方向の中心に対して非対称に配置されており、
前記吸収性物品の肌面側から視認可能な、前記前後方向を示す表示部を有することを特徴とする吸収性物品。
【請求項２】
請求項１に記載の吸収性物品であって、
前記表示部は、包装時の前記幅方向に沿う折り部を跨いでいないことを特徴とする吸収性物品。
【請求項３】
請求項１に記載の吸収性物品であって、
前記表示部は複数の部分を有し、
前記複数の部分のうちの２つ以上の前記部分が、それぞれ前記前後方向を示すことを特徴とする吸収性物品。
【請求項４】
請求項３に記載の吸収性物品であって、
前記複数の部分は、それぞれ包装時の前記幅方向に沿う折り部を跨いでいないことを特徴とする吸収性物品。
【請求項５】
請求項１から４の何れか１項に記載の吸収性物品であって、
前記表示部の少なくとも一部は、前記表示部の周囲と異なる色であることを特徴とする吸収性物品。
【請求項６】
請求項１から５の何れか１項に記載の吸収性物品であって、
前記表示部は、前記吸収性物品を前記幅方向に二分する中心線を跨いでいることを特徴とする吸収性物品。
【請求項７】
請求項１から６の何れか１項に記載の吸収性物品であって、
前記所定の機能を発揮する剤は、吸収性能以外の機能を発揮する剤であることを特徴とする吸収性物品。
【請求項８】
請求項１から７の何れか１項に記載の吸収性物品であって、
前記吸収性物品の非肌面側から視認可能な、前記前後方向を示す第２の表示部を有することを特徴とする吸収性物品。
【請求項９】
請求項８に記載の吸収性物品と、
前記吸収性物品を包装する包装材と、を備える吸収性物品包装体であって、
前記吸収性物品の前記幅方向に沿う折り部において、前記吸収性物品が前記包装材と共に折り畳まれており、
前記表示部と前記第２の表示部の少なくとも一方は、前記幅方向に沿う折り部が１回以上展開された状態で視認可能であることを特徴とする吸収性物品包装体。
【請求項１０】
請求項１から８の何れか１項に記載の吸収性物品と、
前記吸収性物品を包装する包装材と、を備える吸収性物品包装体であって、
前記包装材が、前記吸収性物品の前記前後方向を示す第３の表示部を有することを特徴とする吸収性物品包装体。
【請求項１１】
請求項１０に記載の吸収性物品包装体であって、
前記吸収性物品の前記幅方向に沿う折り部において、前記吸収性物品が前記包装材と共に折り畳まれており、
前記第３の表示部は、前記幅方向に沿う折り部が１回以上展開された状態で視認可能であることを特徴とする吸収性物品包装体。
【請求項１２】
請求項１から１１の何れか１項に記載の吸収性物品が包装材で包装された吸収性物品包装体と、
前記吸収性物品包装体を収容する袋体と、を有する吸収性物品包装体のパッケージであって、
前記袋体が、前記吸収性物品の前記前後方向を示す第４の表示部を有することを特徴とする吸収性物品包装体のパッケージ。
【考案の詳細な説明】
【技術分野】
【０００１】
本考案は、吸収性物品、吸収性物品包装体、及び吸収性物品包装体のパッケージに関する。
【背景技術】
【０００２】
特許文献１では、失禁パッドの前部において機能（吸収力等）が強化されており、少なくとも１つの機能強化部分に対応して、機能強化標識（溝やエンボス等）が設けられた失禁パッドが開示されている。このような失禁パッドによれば、着用者はパッドのどちらの末端部が、吸収機能の強化部であるかを知ることができる。
【先行技術文献】
【特許文献】
【０００３】
【特許文献１】特表２００８−５２２６７１号公報
【考案の概要】
【考案が解決しようとする課題】
【０００４】
しかし、特許文献１の失禁パッドでは、着用者が、前側の方がより多く排泄されることを意識して、機能強化標識の設けられた部分が前側となるように配向する必要がある。つまり、機能強化部をどのように配置すれば有効であるかを着用者が意識しながら失禁パッド（吸収性物品）を装着する必要がある。そのため、吸収性物品の装着に時間がかかったり、誤った向きで吸収性物品が装着されたりする恐れがある。
【０００５】
そこで、本考案は、上記のような問題を鑑みてなされたものであって、正しい前後の向きで素早く装着可能な吸収性物品、その包装体、及びその包装体のパッケージを提供することを目的とする。
【課題を解決するための手段】
【０００６】
上記目的を達成するための主たる考案は、前後方向、及び、幅方向を備え、吸収体と、所定の機能を発揮する剤が配置された配置領域と、を有する吸収性物品であって、前記配置領域は、前記吸収性物品の前記前後方向の中心に対して非対称に配置されており、前記吸収性物品の肌面側から視認可能な、前記前後方向を示す表示部を有することを特徴とする吸収性物品である。  
本考案の他の特徴については、本明細書及び添付図面の記載により明らかにする。
【考案の効果】
【０００７】
本考案によれば、正しい前後の向きで素早く装着可能な吸収性物品、その包装体、及びその包装体のパッケージを提供するこができる。
【図面の簡単な説明】
【０００８】
【図１】生理用ナプキン１を肌側から見た平面図である。
【図２】ナプキン１の前後方向に沿う概略断面図である。
【図３】ナプキン１の個包装体８０の平面図である。
【図４】展開途中の個包装体８０の平面図である。
【図５】展開状態の個包装体８０の平面図である。
【図６】肌側シート３における温感剤配置領域３１（３１１）の説明図である。
【図７】温感剤保持シート７における温感剤配置領域３１（３１２）の説明図である。
【図８】ナプキン１における温感剤配置領域３１を示す図である。
【図９】変形例における表示部４４を示す図である。
【図１０】ナプキン１の非肌側面を示す図である。
【図１１】包装材８１の外側面を示す図である。
【図１２】変形例の個包装体８０の展開途中の平面図である。
【図１３】個包装体のパッケージ９０の斜視図である。
【図１４】図１４Ａはパッケージ９０の裏面図であり、図１４Ｂはパッケージの側面図である。
【考案を実施するための形態】
【０００９】
本明細書及び添付図面の記載により、少なくとも以下の事項が明らかとなる。  
前後方向、及び、幅方向を備え、吸収体と、所定の機能を発揮する剤が配置された配置領域と、を有する吸収性物品であって、前記配置領域は、前記吸収性物品の前記前後方向の中心に対して非対称に配置されており、前記吸収性物品の肌面側から視認可能な、前記前後方向を示す表示部を有することを特徴とする吸収性物品である。
【００１０】
このような吸収性物品によれば、着用者は、吸収性物品の機能に合わせた前後方向を意識しなくとも、表示部によって吸収性物品の前後方向を認識できる。よって、着用者は正しい前後の向きで素早く吸収性物品を装着できる。
【００１１】
かかる吸収性物品であって、前記表示部は、包装時の前記幅方向に沿う折り部を跨いでいないことを特徴とする吸収性物品である。
【００１２】
このような吸収性物品によれば、折り部に生じる皺によって、表示部が見え難くなってしまうことを防止でき、着用者が吸収性物品の前後方向を認識しやすくなり、正しい前後の向きで吸収性物品が装着されやすくなる。
【００１３】
かかる吸収性物品であって、前記表示部は複数の部分を有し、前記複数の部分のうちの２つ以上の前記部分が、それぞれ前記前後方向を示すことを特徴とする吸収性物品である。
【００１４】
このような吸収性物品によれば、着用者が吸収性物品の前後方向をより認識しやすくなり、正しい前後の向きで吸収性物品が装着されやすくなる。
【００１５】
かかる吸収性物品であって、前記複数の部分は、それぞれ包装時の前記幅方向に沿う折り部を跨いでいないことを特徴とする吸収性物品である。
【００１６】
このような吸収性物品によれば、折り部に生じる皺によって、表示部が見え難くなってしまうことを防止でき、着用者が吸収性物品の前後方向を認識しやすくなり、正しい前後の向きで吸収性物品が装着されやすくなる。
【００１７】
かかる吸収性物品であって、前記表示部の少なくとも一部は、前記表示部の周囲と異なる色であることを特徴とする吸収性物品である。
【００１８】
このような吸収性物品によれば、表示部が目立ち、着用者が表示部に着目しやすくなるため、着用者が吸収性物品の前後方向を認識しやすくなり、正しい前後の向きで吸収性物品が装着されやすくなる。
【００１９】
かかる吸収性物品であって、前記表示部は、前記吸収性物品を前記幅方向に二分する中心線を跨いでいることを特徴とする吸収性物品である。
【００２０】
このような吸収性物品によれば、表示部が幅方向の一方側に偏って配置されている場合に比べて、表示部が吸収性物品の前後方向を示す表示として、着用者に認識されやすくなる。
【００２１】
かかる吸収性物品であって、前記所定の機能を発揮する剤は、吸収性能以外の機能を発揮する剤であることを特徴とする吸収性物品である。
【００２２】
このような吸収性物品によれば、吸収体の吸収性能に加えて、別の機能を有することができる。
【００２３】
かかる吸収性物品であって、前記吸収性物品の非肌面側から視認可能な、前記前後方向を示す第２の表示部を有することを特徴とする吸収性物品である。
【００２４】
このような吸収性物品によれば、着用者は、表示部と第２の表示部を見ることによって、吸収性物品の前後方向をより認識しやすくなり、正しい前後の向きで吸収性物品が装着されやすくなる。
【００２５】
かかる吸収性物品と、前記吸収性物品を包装する包装材と、を備える吸収性物品包装体であって、前記吸収性物品の前記幅方向に沿う折り部において、前記吸収性物品が前記包装材と共に折り畳まれており、前記表示部と前記第２の表示部の少なくとも一方は、前記幅方向に沿う折り部が１回以上展開された状態で視認可能であることを特徴とする吸収性物品包装体である。
【００２６】
このような吸収性物品包装体によれば、着用者は、包装体の展開時に表示部や第２の表示部を見て、さらに包装材が取り外された吸収性物品単体でも表示部や第２の表示部を見ることになる。そのため、着用者は、吸収性物品の前後方向をより認識しやすくなり、正しい前後の向きで吸収性物品が装着されやすくなる。
【００２７】
かかる吸収性物品と、前記吸収性物品を包装する包装材と、を備える吸収性物品包装体であって、前記包装材が、前記吸収性物品の前記前後方向を示す第３の表示部を有することを特徴とする吸収性物品包装体である。
【００２８】
このような吸収性物品包装体によれば、着用者は包装体の開封時に第３の表示部を見て、吸収性物品の装着時に表示部を見るため、吸収性物品の前後方向をより認識しやすくなる。よって、正しい前後の向きで吸収性物品が装着されやすくなる。
【００２９】
かかる吸収性物品包装体であって、前記吸収性物品の前記幅方向に沿う折り部において、前記吸収性物品が前記包装材と共に折り畳まれており、前記第３の表示部は、前記幅方向に沿う折り部が１回以上展開された状態で視認可能であることを特徴とする吸収性物品包装体である。
【００３０】
このような吸収性物品包装体によれば、吸収性物品の前後方向の折りが展開された状態で、着用者は第３の表示部を視認することになる。よって、着用者は、第３の表示部が吸収性物品の前後方向を示すことをより認識しやすくなり、正しい前後の向きで吸収性物品が装着されやすくなる。
【００３１】
かかる吸収性物品が包装材で包装された吸収性物品包装体と、前記吸収性物品包装体を収容する袋体と、を有する吸収性物品包装体のパッケージであって、前記袋体が、前記吸収性物品の前記前後方向を示す第４の表示部を有することを特徴とする吸収性物品包装体のパッケージである。
【００３２】
このような吸収性物品包装体のパッケージによれば、着用者は、パッケージの購入時や開封時に、第４の表示部を見て吸収性物品の前後方向を認識でき、吸収性物品の装着時にも表示部を見て吸収性物品の前後方向を認識できる。よって、正しい前後の向きで吸収性物品が装着されやすくなる。
【００３３】
以下、本実施形態に係る吸収性物品の一例として、生理用ナプキンを例に挙げて説明する。ただし、吸収性物品は生理用ナプキンに限定されず、他の吸収性物品として、例えば、パンティライナー、失禁パッド、使い捨ておむつ等が挙げられる。
【００３４】
＝＝＝生理用ナプキン１の基本構成＝＝＝
図１は、生理用ナプキン１（以下「ナプキン」とも呼ぶ）を肌側から見た平面図である。図２は、ナプキン１の前後方向に沿う概略断面図である。ナプキン１は、互いに直交する前後方向と幅方向と厚さ方向を有する。前後方向において着用者の腹側となる側が前側であり、着用者の背側となる側が後側である。厚さ方向において着用者の肌に当接する側が肌側であり、その反対側が非肌側である。
【００３５】
ナプキン１は、吸収体２、肌側シート３、中間シート４、非肌側シート５、一対のサイドシート６、及び、温感剤３０が配置された温感剤保持シート７を有する。
【００３６】
肌側シート３は、吸収体２より肌側に配置された液透過性のシートである。中間シート４は、肌側シート３と吸収体２の間に配置された液透過性のシートである。液透過性のシートとしては、不織布や開孔フィルム等を例示できる。非肌側シート５は、吸収体２より非肌側に配置された液不透過性のシートである。非肌側シート５としては、合成樹脂フィルム等を例示できる。非肌側シート５を合成樹脂フィルムのような非通気性のシートとすることで、温感剤３０の効果で温められた空気が散逸し難くなる。サイドシート６は、肌側シート３の肌側面の幅方向の両側部から外側に延出したシートである。サイドシート６としては、肌側シート３と同じ柔軟な不織布や疎水性の不織布等を例示できる。
【００３７】
吸収体２は、吸収コアと、吸収コアを覆う液透過性のコアラップシートを有する。吸収コアとしては、パルプ繊維やセルロース系吸収性繊維等の液体吸収性繊維に、高吸収性ポリマー（ＳＡＰ）が加えられ、所定の形状に成形されたもの等を例示できる。なお、吸収体はコアラップシートを有さなくてもよい。
【００３８】
また、ナプキン１は、前後方向において、吸収体２の前端２ａより前側の前方領域１Ａと、前方領域１Ａより後側の後方領域１Ｂとに区画される。温感剤保持シート７は、主に前方領域１Ａに配置されている。図１に例示するナプキン１では、温感剤保持シート７の後端部が、吸収体２の前端部と重複し、後方領域１Ｂに配置されている。ただし、これに限定されず、温感剤保持シート７の後端が、吸収体２の前端２ａと接するか、又は前側に離間していてもよい。
【００３９】
本実施形態の温感剤保持シート７は、図２に示すように、３枚のシートが厚さ方向に積層されて構成されている。また、温感剤保持シート７は、中間シート４及び吸収体２より非肌側であり、非肌側シート５より肌側に配置されている。ただし上記に限定されず、温感剤保持シート７は、１枚のシートで構成されていてもよいし、３枚以外の複数枚のシートが積層されて構成されていてもよい。
【００４０】
ナプキン１の後方領域１Ｂは、概ね一般的な生理用ナプキンの形状であり、前後方向の中央部において、幅方向の外側に延出した一対のウィング部１ｗを有する。ウィング部１ｗは、サイドシート６と非肌側シート５によって形成されている。また、後方領域１Ｂにおいて、前後方向の中央やや前方寄りの領域（前後方向におけるウィング部１ｗの中央）が、着用者の排泄口に当接するように想定されている。なお、ナプキンはウィング部を有さなくてもよい。
【００４１】
ナプキン１の前方領域１Ａの形状は特に限定はなく、例えば、三角形や矩形や多角形（角が丸い場合や辺が曲線の場合を含む）、円形や楕円形、生物の形状、又はそれらの組み合わせが挙げられる。本実施形態の前方領域１Ａは、一対のウィング部１ｗを除いた後方領域１Ｂの最大幅よりも大きい幅を有する。また、前方領域１Ａは、その前端部から後端部に向かって幅が狭くなった略三角形の形状である。温感剤保持シート７も前方領域１Ａの形状を相似的に縮小した略三角形の形状である。ただし上記に限定されず、温感剤保持シート７が例えば矩形形状等であり、前方領域１Ａと異なる形状であってもよい。
【００４２】
また、ナプキン１は、吸収体２及び肌側シート３の少なくとも一方がその厚さ方向に窪んでいる圧搾部２０を有する。圧搾部２０によって、吸収体２の型崩れを防止したり、ナプキン１の液拡散性を向上させたりすることができる。図示しないが、本実施形態の後方領域１Ｂの圧搾部２０は、肌側シート３から吸収体２まで肌側から圧搾されたものとする。この圧搾部２０に加えて、吸収体２のみが圧搾された圧搾部が設けられていてもよい。また、吸収体２が存在しない前方領域１Ａの圧搾部２０は、肌側シート３及び温感剤保持シート７が肌側から圧搾されたものとする。
【００４３】
圧搾部２０では、周囲に比べてナプキン１の厚みが薄く、ナプキン１の繊維密度が高くなっている。これらの比較は周知の方法で行うとよい。ナプキン１の厚みの比較としては、目視で比較する方法や、ミツトヨ（株）製のダイアルシックネスゲージＩＤ−Ｃ１０１２Ｃ又はそれと同等のものを使用し、対象部位を例えば３．０ｇｆ／ｃｍ２で加圧して測定した値を取得して比較する方法を例示できる。ナプキン１の密度の比較としては、ナプキン１を厚み方向に切った断面を電子顕微鏡等で拡大した画像に基づき比較する方法を例示できる。
【００４４】
圧搾部２０は、前後方向や幅方向に連続して厚さ方向に窪んでいる（溝状の）圧搾部であってもよいし、非連続に厚さ方向に窪んだ点状の圧搾部であってもよい。本実施形態のナプキン１は、図１に示すように、点状の圧搾部が離散的に配置された圧搾部２１や、点状の圧搾部が線状に並んで配置された圧搾部２２や、点状の圧搾部が図柄（例えば熊の目や鼻）を形成するように配置された圧搾部２３や、文字の形状に圧搾された圧搾部２４を有する。
【００４５】
＝＝＝ナプキン１の個包装体８０（吸収性物品包装体）＝＝＝
図３は、ナプキン１の個包装体８０（以下「個包装体」とも呼ぶ）の平面図である。図４は、展開途中の個包装体８０の平面図である。図５は、展開状態の個包装体８０の平面図である。
【００４６】
個包装体８０は、ナプキン１と、ナプキン１を包装する包装材８１（例えば合成樹脂フィルム等）と、止着テープ８２を備えている。図５に示すように、包装材８１の内側面上に、ナプキン１がその肌側面を上にして配置され、ナプキン１は包装材８１と共に折り畳まれる。また、包装材８１の長手方向がナプキン１の前後方向に対応し、包装材８１の幅方向がナプキン１の幅方向に対応している。また、包装材８１において止着テープ８２が取り付けられている側（つまり個包装体８０の開封端８０ａ側）が、ナプキン１の前側に対応している。
【００４７】
個包装体８０は、包装時の折り部として、ナプキン１の前後方向に沿う２つの折り部Ｆ１，Ｆ２と、ナプキン１の幅方向に沿う２つの折り部Ｆ３，Ｆ４を有する。前後方向に沿う折り部Ｆ１，Ｆ２により、ナプキン１の幅方向の両側部が中央部に重なるように折り畳まれる。また、幅方向に沿う折り部Ｆ３，Ｆ４により、ナプキン１の前方部と後方部が中央部に重なるように折り畳まれる。
【００４８】
ナプキン１の使用時に、着用者が止着テープ８２を把持して、幅方向に沿う折り部Ｆ３，Ｆ４での折りを展開すると、個包装体８０は図４の状態になる。さらに、着用者が前後方向に沿う折り部Ｆ１，Ｆ２での折りを展開すると、個包装体８０は図５の状態となる。ただし、個包装体８０の折り畳み方法は上記に限定されない。
【００４９】
＝＝＝温感剤配置領域３１＝＝＝
図６は、肌側シート３における温感剤配置領域３１（３１１）の説明図である。図７は、温感剤保持シート７における温感剤配置領域３１（３１２）の説明図である。本実施形態のナプキン１は、温感剤３０が配置された温感剤配置領域３１（配置領域）を有する。温感剤３０のように、吸収性能以外の機能を発揮する剤がナプキン１に配置されていることで、ナプキン１は、吸収体２の吸収性能に加えて、別の機能を有することができる。なお、温感剤３０（所定の機能を発揮する剤）の配置は、噴霧法やローラーコート法、刷毛塗り法等の各種公知の塗布方法で行ったり、シートを浸漬したりする方法や、粒子状の剤をシートの繊維に混在させる方法等が挙げられる。
【００５０】
温感剤３０は、例えば、ＴＲＰチャネル（温度受容器（温熱知覚受容器））を活性化する温感成分と、溶媒成分とを含む。ナプキン１に温感剤３０が配置されていることで、ナプキン１の着用者のＴＲＰチャネルが刺激される。その結果、交感神経系を介して、温感剤３０の接触部分から熱が生じ、温感剤３０の接触部分の温度を上昇させることが期待できる。このように、温感剤３０は、剤自体が発熱する発熱剤とは異なるため、低温やけどを起こし難い。また、ナプキン１を下着に貼付するための粘着部（不図示）が軟化し難いので、ナプキン１を下着から取り外す際に粘着部が下着に残り難く、好ましい。
【００５１】
温感成分としては、ＴＲＰチャネルを活性化するものであれば、特に制限されず、液体状であっても、固体状（ペースト状、粉体状等を含む）であってもよい。また、温感成分は、着用者の安心感の観点から、植物由来の化合物であることが好ましい。温感刺激剤としては、例えば、カプシコシド、カプサイシン（ＬＤ５０：４７ｍｇ／ｋｇ，分子量：３０５）、カプサイシノイド類（ジヒドロカプサイシン、ノルジヒドロカプサイシン、ホモジヒドロカプサイシン、ホモカプサイシン、ノニバミド等）、カプサンチン、ニコチン酸ベンジル（ＬＤ５０：２，１８８ｍｇ／ｋｇ，分子量：２１３）、ニコチン酸β−ブトキシエチル、Ｎ−アシルワニルアミド、ノナン酸バニリルアミド、多価アルコール、唐辛子末、唐辛子チンキ、唐辛子エキス、ノナン酸バニリルエーテル、バニリルアルコールアルキルエーテル誘導体（例えば、バニリルエチルエーテル、バニリルブチルエーテル（ＬＤ５０：４，９００ｍｇ／ｋｇ，分子量：２１０）、バニリルペンチルエーテル、バニリルヘキシルエーテル）、イソバニリルアルコールアルキルエーテル、エチルバニリルアルコールアルキルエーテル、ベラトリアルアルコール誘導体、置換ベンジルアルコール誘導体、置換ベンジルアルコールアルキルエーテル、バニリンプロピレングリコールアセタール、エチルバニリンプロピレングリコールアセタール、ショウガエキス、ジンジャーオイル、ジンゲロール（ＬＤ５０：２５０ｍｇ／ｋｇ，分子量：２９４）、ジンゲロン、ヘスペリジン、及びピロリドンカルボン酸、並びにそれらの任意の組み合わせが挙げられる。
【００５２】
溶媒成分としては、温感成分を含むことができるものであれば、特に限定されず、例えば、親油性溶媒及び親水性溶媒が挙げられる。このような溶媒成分は、温感成分を溶解、分散等することができる。親油性溶媒としては、油脂、例えば、天然油（例えば、トリグリセリド等の脂肪酸エステル、ヤシ油、アマニ油、トリ（カプリル／カプリン酸）グリセリル等）、炭化水素（例えば、パラフィン、例えば、流動パラフィン）等が挙げられる。親水性溶媒は、水及びアルコールが挙げられる。上記アルコールとしては、メタノール、エタノール、エチレングリコール、グリセリン等の低級アルコール、カプリルアルコール、ラウリルアルコール、ミリスチルアルコール等の高級アルコール等が挙げられる。それらの中でも、溶媒成分としては、揮発性を制御しやすい、特に揮発性を下げやすい観点からは、油脂（親油性溶媒）又はアルコール（親水性溶媒）が好ましい。また、ナプキン１では、吸収性を阻害しにくい観点から、上記溶媒成分は親油性溶媒であることが好ましい。
【００５３】
温感剤３０における温感成分の濃度は、温感効果の観点から、好ましくは１〜７０質量％、より好ましくは１０〜６０質量％、さらに好ましくは２０〜５５質量％であるとよい。また、着用者に温感を付与する観点から、ナプキン１では、温感剤３０における温感成分の坪量は、好ましくは０．００１〜４０ｇ／ｍ２であり、より好ましくは０．１〜３０ｇ／ｍ２であり、さらに好ましくは１〜２０ｇ／ｍ２であるとよい。
【００５４】
本実施形態のナプキン１では、肌側シート３及び温感剤保持シート７にそれぞれ温感剤配置領域３１１，３１２が設けられている。肌側シート３及び温感剤保持シート７は、温感剤３０を保持可能なシートであれば特に制限されず、不織布等が挙げられる。
【００５５】
肌側シート３の温感剤配置領域３１１は、図２に示すように、肌側シート３の非肌側面に設けられている。また、図６に示すように、温感剤配置領域３１１は、ナプキン１の幅方向の中央部（幅２０ｍｍ程度）の両側に、前後方向に沿った一対の帯状の配置領域３１１Ａを有する。帯状の配置領域３１１Ａは、ナプキン１の前後方向において、温感剤保持シート７の上端部の位置からウィング部１ｗの後端部の位置にかけて連続して設けられている。
【００５６】
温感剤保持シート７の温感剤配置領域３１２は、図２に示すように、３枚のシートのうち最も肌側に位置するシート７ａの肌側面に設けられている。また、図７に示すように、温感剤保持シート７の全域に温感剤３０が設けられ、温感剤保持シート７の全域が温感剤配置領域３１２となっている。
【００５７】
ただし、温感剤配置領域３１１，３１２は図示する大きさや形状や配置に限定されない。また、温感剤配置領域３１１，３１２の全域に（べた塗りで）温感剤３０が配置されていてもよいし、ストライプパターンやスパイラルパターン等の各種公知のパターンで温感剤３０が配置されていてもよい。
【００５８】
また、温感剤３０は、着用者の肌と直接接触する場所に配置されていない。しかし、着用時に温感剤３０が溶出したり揮発したりすることで、着用者の肌に到達する。着用者の肌に到達した温感成分が、着用者のＴＲＰチャネルを活性化し、その場所に温感が付与される。
【００５９】
また、生理中で敏感になっている膣口に対応する領域に温感剤３０が配置されていると、着用者は、その温感剤３０の刺激を痛みとして感じる恐れがある。そこで、肌側シート３の幅方向の中央部には温感剤３０を配置しないことが好ましい。つまり、着用者の股下部に当接するナプキン１の領域の幅方向の中央部には温感剤３０を配置しないことが好ましい。そうすることで、温感剤３０による膣口への刺激を抑えることができ、温感剤３０による痛みを防止できる。また、膣口に対応するナプキン１の領域に温感剤３０が配置されないことで、温感剤３０により経血の吸収が阻害されてしまうことを防止でき、ナプキン１の吸収力が確保される。
【００６０】
＝＝＝前後方向を示す表示部４０＝＝＝
図８は、ナプキン１における温感剤配置領域３１を示す図である。つまり、肌側シート３における温感剤配置領域３１１と温感剤保持シート７における温感剤配置領域３１２を合わせた温感剤配置領域３１を示す。図９は、変形例における表示部４４を示す図である。図１０は、ナプキン１の非肌側面を示す図である。図１１は、包装材８１の外側面を示す図である。
【００６１】
本実施形態のナプキン１は、前方領域１Ａを有し、一般的なナプキン１の形状に比べて前側に長く幅広い形状となっている。ナプキン１の排泄口当接領域が着用者の排泄口に対応するようにナプキン１が装着されると、ナプキン１の前方領域１Ａが着用者の下腹部に対応する。着用者の下腹部が前方領域１Ａで覆われるため、前方領域１Ａを有さないナプキン１に比べて、着用者の下腹部を温めることができる。
【００６２】
さらに、前方領域１Ａには温感剤配置領域３１が設けられている。そのため、温感剤３０により着用者の下腹部のＴＲＰチャネルが活性化され、着用者の下腹部に温感を付与できる。着用者の下腹部、すなわち着用者の子宮に近い部分が温められることによって、着用者の生理痛を緩和したり、月経前症候群や冷え性、更年期障害などの症状を軽減したりすることが期待される。
【００６３】
このように、本実施形態のナプキン１は、着用者の下腹部を温めることを目的とした構成となっている。そのため、図８に示すように、ナプキン１の前側に偏って温感剤配置領域３１が配置されており、ナプキン１の後方部には温感剤配置領域３１が配置されていない。つまり、温感剤配置領域３１は、ナプキン１の前後方向の中心１ｃに対して非対称に配置されている。
【００６４】
しかし、ナプキン１が前後逆に装着され、ナプキン１の前方領域１Ａが着用者の臀部に対応するようにナプキン１が装着されてしまうと、着用者の下腹部を温めることができず、上記の効果が得られなくなってしまう。特に、夜用のナプキンとして、後ろ漏れ防止のために、着用者の臀部を広く覆るように後側に長く幅広い形状のナプキンが知られている。そのような夜用のナプキンの形状は、本実施形態のナプキン１を前後逆にした形状に似ている。そのため、本実施形態のナプキン１は前後逆に装着されてしまう恐れがある。
【００６５】
そこで、本実施形態のナプキン１は、ナプキン１の肌面側から視認可能な、ナプキン１の前後方向を示す表示部４０を有する。具体的には、図１に示すように、圧搾部２０によって形成された熊の図柄４１が表示部４０に相当する。熊の図柄４１の上下方向がナプキン１の前後方向に沿い、熊の図柄４１の頭側（上側）がナプキン１の前側に対応している。ナプキン１の装着時に熊の図柄４１を見た着用者は、直感的にナプキン１の前後方向を認識し、熊の図柄４１の頭側が自身の腹側に位置するようにナプキン１を装着できる。つまり、着用者は、下腹部を温めるためには幅広形状である前方領域１Ａを前側にしよう等、ナプキン１の機能に合わせたナプキン１の前後方向を考えなくとも、正しい前後の向きで素早くナプキン１を装着できる。その結果、ナプキン１の前方領域１Ａを着用者の下腹部に対応させることができ、着用者の下腹部を温めることができる。
【００６６】
表示部４０は、ナプキン１の前後方向を示すことのできる表示であれば特に限定されない。熊の図柄４１のように上下方向を有する図柄（例えば動物や植物や乗り物等）や、文字（例えば「まえ」等）、数字、上下方向を有する記号、及びこれらの組み合わせ等であってもよい（後述する第２の表示部５０及び第３の表示部６０についても同様）。ただし、図柄でナプキン１の前後方向を示すことで、ナプキン１のデザイン性が向上する。また、表示部４０は、上下方向を有する図柄や文字で、ナプキン１の左右方向を示したものでもよい。例えば「ひだり」等の文字や左手を示す図柄をナプキン１の左側部分に設けることで、着用者はナプキン１の左右方向と共に前後方向も認識できる。
【００６７】
本実施形態のナプキン１は、熊の図柄４１の他にも表示部４０を有する。１つは、圧搾部２０によって形成された「ＨＯＴ」という文字４２である。もう１つは、熊の脚（肉球）の図柄４３である。ナプキン１が有する表示部４０は１つであってもよいが、ナプキン１が複数の表示部４０を有することで、着用者がナプキン１の前後方向をより認識しやすくなる。
【００６８】
また、表示部４０の上下方向はナプキン１の前後方向に沿って平行であることに限定されない。つまり、ナプキン１の前後方向に対して表示部４０の上下方向が９０度未満で傾いていてもよい（後述する第２の表示部５０及び第３の表示部６０についても同様）。
【００６９】
また、圧搾部２０によって表示部４０を形成するに限らない。例えば、サイドシート６を肌側シート３の幅方向の両側部に固定するための溶着部８のパターンによって表示部４０を形成してもよい。また、インクで印刷された表示部４０であってもよい。その場合、表示部４０が肌面側から視認可能であればよく、肌側シート３の肌側面に表示部４０を印刷するに限らない。
【００７０】
また、表示部４０はナプキン１の平面上の何れの位置に配置されていてもよく、ナプキン１の厚さ方向において温感剤配置領域３１と表示部４０とが重なっていなくてもよい。ただし、着用者は、ナプキン１を下着に貼付する際に、ナプキン１の前方領域１Ａを視認しやすい。そのため、ナプキン１の前方領域１Ａに表示部４０が配置されていることで、着用者は表示部４０を確認しながらナプキン１を下着に装着できる。
【００７１】
また、温感剤配置領域３１は図８に示す領域に限定されず、ナプキン１の前後方向の中心１ｃに対して、温感剤配置領域３１が非対称な形や大きさや位置であり、非対称な配置であればよい。例えば、ナプキン１の前方部にも後方部にも温感剤３０が配置されていてもよい。ナプキン１の後方部に温感剤３０が配置されていることで、着用者の腰部を温めることができ、腰痛緩和が期待できる。その他、ナプキン１の前方部に温感剤３０が配置されず、後方部に温感剤３０が配置されていたり、ナプキン１の中央部に温感剤３０が配置されていなかったりしてもよい。また、温感剤３０は、肌側シート３と温感剤保持シート７に配置されるに限らず、ナプキン１を構成する資材の何れか（例えば吸収体２や中間シート４等）に配置されていればよい。
【００７２】
なお、温感剤３０等の、所定の機能を発揮する剤が非対称に配置されていることの確認方法としては次の方法が考えられる。例えば、コールドスプレー等を用いて、厚さ方向に積層されたナプキン１の資材を分解し、各資材に竹炭やココアパウダーなどの有色の細かい粒子を撒いた後に、粒子を払う方法である。温感剤３０が配置された部分には粒子が多く付着するため、温感剤３０の配置領域を特定できる。
【００７３】
その他、ナプキン１から前後方向及び幅方向に所定のサイズで細かく多数のサンプルを切り出し、官能試験を行ってもよい。例えば検査者の二の腕に切り出したサンプルを当て、その上にＰＥシート等の気密性の高いシートを重ねる。検査者は、サンプルの温感効果を感じるまでの時間を計測して記録する。サンプルごとの計測時間を比較し、計測時間が短いサンプルを切り出したナプキン１の位置を、温感剤３０の配置領域として特定できる。
【００７４】
また、展開状態の個包装体８０（図５）では、止着テープ８２が位置する側がナプキン１の前側に対応するようにナプキン１が包装材８１上に配置されている。止着テープ８２が位置する側がナプキン１の前側であると認識しているユーザーが多い。そのため、図５に示すように包装材８１上にナプキン１を配置することで、正しい前後の向きでナプキン１が装着されやすくなる。また、止着テープ８２とナプキン１の前後方向の関係を認識していないユーザーであっても、本実施形態のナプキン１は表示部４０を有するため、正しい前後の向きでナプキン１が装着されやすくなる。
【００７５】
また、図９に示す変形例のナプキン１が有する表示部４４は、複数の部分を有する。具体的に、表示部４４は、前側から、熊の頭の図柄４４１と、蝶ネクタイの図柄４４２と、熊の脚（肉球）の図柄４４３を有する。これら３つの図柄４４１〜４４３によって、熊の全身が表されている。この場合、表示部４４が有する複数の部分４４１〜４４３のうちの２つ以上の部分が、それぞれ前後方向を示すことが好ましい。図９に示す表示部４４では、熊の頭の図柄４４１と熊の脚の図柄４４３がナプキン１の前後方向を示している。そうすることで、着用者がナプキン１の前後方向をより認識しやすくなり、正しい前後の向きでナプキン１が装着されやすくなる。
【００７６】
また、図５に示すように、表示部４０は、包装時の幅方向に沿う折り部Ｆ３，Ｆ４を跨いでいないことが好ましい。また、変形例の表示部４４（図９）の場合、表示部４４が有する複数の部分４４１〜４４３が、それぞれ包装時の幅方向に沿う折り部Ｆ３，Ｆ４を跨いでいないことが好ましい。さらに、図５に示す表示部４０は、包装時の前後方向に沿う折り部Ｆ１，Ｆ２も跨いでいない。
【００７７】
このように表示部４０，４４が折り部Ｆ１〜Ｆ４を跨がないことで、折り部Ｆ１〜Ｆ４に生じる皺によって、表示部４０，４４が見え難くなってしまうことを防止できる。よって、着用者がナプキン１の前後方向をより認識しやすくなり、正しい前後の向きでナプキン１が装着されやすくなる。
【００７８】
なお、ナプキン１は厚さを有するため、幅方向に沿う折り部Ｆ３，Ｆ４は前後方向に幅を持った領域となり、前後方向に沿う折り部Ｆ１，Ｆ２は幅方向に幅を持った領域となる。本明細書では、山型に折り曲げられた折り部Ｆ１〜Ｆ４の頂点となる位置を折り部Ｆ１〜Ｆ４の中央線とする。具体的には、個包装体８０の平面よりも大きい板を介して、個包装体８０の平面上に重り（例えば２００ｇ）を載せた状態において、個包装体８０が最も突出する位置が折り部Ｆ１〜Ｆ４の中央線として得られる。そして、展開状態におけるナプキン１の折り部Ｆ１〜Ｆ４での最大厚さｔを取得する。幅方向に沿う折り部Ｆ３，Ｆ４の中央線から前後方向の両側にそれぞれπｔ／２離れた領域を折り部Ｆ３，Ｆ４とする。また、前後方向に沿う折り部Ｆ１，Ｆ２の中央線から幅方向の両側にそれぞれπｔ／２離れた領域を折り部Ｆ１，Ｆ２とする。ナプキン１の厚さｔは、例えば、ミツトヨ（株）製のダイアルシックネスゲージＩＤ−Ｃ１０１２Ｃ又はそれと同等のものを使用し、対象部位を例えば３．０ｇｆ／ｃｍ２で加圧して測定した値として得られる。
【００７９】
また、図５及び図９に示すように、表示部４０，４４は、ナプキン１を幅方向に二分する中心線ＣＬに対して対象な配置となっている。このように、表示部４０，４４は中心線ＣＬを跨いでいることが好ましい。そうすることで、表示部４０，４４が中心線ＣＬの幅方向の一方側に偏って配置されている場合に比べて、表示部４０，４４がナプキン１の前後方向を示す表示として、着用者に認識されやすくなる。
【００８０】
また、図１０に示すように、ナプキン１は、ナプキン１の非肌面側から視認可能な、ナプキン１の前後方向を示す第２の表示部５０を有している。具体的には、第２の表示部５０は、熊の図柄５１や、ナプキン１の温かさを示す文字５２（ＫｅｅｐＷａｒｍｉｎｇ等）や、熊の脚（肉球）の図柄５３である。これら上下方向を有する第２の表示部５０の上側が、ナプキン１の前側に対応している。
【００８１】
そのため、着用者は、ナプキン１を包装材８１から外して下着に貼付する前に、ナプキン１の非肌側面の第２の表示部５０を見て、ナプキン１の前後方向を認識しやすくなる。その後、着用者はナプキン１の肌側面の表示部４０を見てナプキン１を下着に貼付する。そのため、着用者はナプキン１の前後方向をより認識しやすくなり、正しい前後の向きでナプキン１が装着されやすくなる。
【００８２】
また、図１０では、複数の第２の表示部５０の全てがナプキン１の前後方向を示している。ただし、第２の表示部５０の上下方向が前後方向に沿って平行でなくてもよく、複数の第２の表示部５０それぞれの前後方向に対する傾き方が異なっていてもよい。
【００８３】
また、第２の表示部５０は、ナプキン１の非肌面側から視認可能であればよく、例えば、非肌側シート５の非肌側面や肌側面、吸収体２の非肌側面等に印刷されているとよい。また、ナプキン１を非肌側から圧搾した圧搾部によって第２の表示部５０を形成してもよい。
【００８４】
また、本実施形態のナプキン１では、温感剤保持シート７の色が、ナプキン１を構成する他の資材と異なる色である。具体的には、ナプキン１を構成する主な資材の色が白色であるのに対して、温感剤保持シート７は温かさを表す暖色系の色（ピンク色、赤色、オレンジ色、黄色等）に着色されている。温感剤保持シート７の色は肌側シート３を介して、ナプキン１の肌面側から視認可能とする。そのため、着色されたナプキン１の前方領域１Ａは目立つため、着用者は前方領域１Ａに着目しやすい。また、着用者は、暖色系の色に着色された前方領域１Ａを視認することで、ナプキン１の温感機能を認識しやすくなる。
【００８５】
本実施形態の表示部４０は、ナプキン１の厚さ方向において温感剤保持シート７と重なる位置に設けられている。つまり、暖色系の色に着色された部分に表示部４０は設けられている。また、表示部４０は圧搾部２０によって形成されている。そのため、表示部４０では、凹みによる陰影や繊維の高密度化によって、周囲に比べて暖色系の色が濃くなっている。
【００８６】
このように、表示部４０が周囲と異なる色であることが好ましい。そうすることで、表示部４０が目立ち、着用者が表示部４０に着目しやすくなる。よって、正しい前後の向きでナプキン１が装着されやすくなる。周囲と色が異なるとは、ユーザーがナプキン１を視認した際に識別できる程に色差があればよく、上記のように同色の濃淡による色差も含まれるものとする。なお、印刷によって表示部を形成することで、表示部と周囲の色を異ならせてもよい。また、温感剤保持シート７が白色である場合も、圧搾部２０により形成された表示部４０は周囲と濃淡差が生じて色が異なることになるが、温感剤保持シート７が有色である方が表示部４０はより目立ちやすい。
【００８７】
図１１に示すように、ナプキン１の包装材８１は図柄や文字等の複数の装飾８３を有する。具体的には、包装材８１は装飾８３として、熊の図柄や、温かさを示す文字（ＫｅｅｐＷａｒｍｉｎｇ等）や、熊の脚（肉球）の図柄を有する。そして、包装材８１が有する複数の装飾８３の一部が、ナプキン１の前後方向を示す第３の表示部６０となっている。本実施形態のナプキン１では、ナプキン１の幅方向に沿う折り部Ｆ３，Ｆ４が展開された状態（図４）、すなわちナプキン１の前後方向の折りが展開された状態において、第３の表示部６０を視認可能とする。この場合、第３の表示部６０は、包装材８１の外側面側から視認可能とする。
【００８８】
第３の表示部６０の上下方向が、展開された個包装体８０（図４）におけるナプキン１の前後方向に沿い、第３の表示部６０の上側がナプキン１の前側（包装材８１に止着テープ８２が取り付けられている側）に対応している。このように包装材８１が第３の表示部６０を有することで、着用者は、個包装体８０を展開する途中で第３の表示部６０を見て、ナプキン１の前後方向を認識しやすくなる。その後、着用者はナプキン１の肌側面の表示部４０を見てナプキン１を下着に貼付する。そのため、着用者はナプキン１の前後方向をより認識しやすくなり、正しい前後の向きでナプキン１が装着されやすくなる。
【００８９】
図４では、複数の第３の表示部６０の全てがナプキン１の前後方向を示している。ただし、第３の表示部６０の上下方向が前後方向に沿って平行でなくてもよく、複数の第３の表示部６０それぞれの前後方向に対する傾き方が異なっていてもよい。また、第３の表示部６０は、包装材８１の内側面に印刷されていても外側面に印刷されていてもよい。また、包装材８１を圧搾した圧搾部によって第３の表示部６０を形成してもよい。
【００９０】
また、展開前の個包装体８０では、ナプキン１が前後方向に折り畳まれており、着用者がナプキン１の前後方向を意識し難い。そのため、本実施形態では、展開前の個包装体８０（図３）と、幅方向に沿う折り部Ｆ３，Ｆ４が展開された個包装体８０（図４）とで、包装材８１の装飾８３の配置が異なっている。
【００９１】
展開前の個包装体８０（図３）では、熊の図柄や文字等の装飾８３の上下方向の向きがばらついている。一方、展開された個包装体８０（図４）では、装飾８３（第３の表示部６０）の上下方向の向きが揃っている。そのため、図１１に示すように、包装材８１の幅方向の両側部では、複数の装飾８３（第３の表示部６０）それぞれの上側が包装材８１の長手方向の止着テープ８２側を向いていて揃っている。一方、包装材８１の幅方向の中央部では、装飾８３によって、その上側が包装材８１の長手方向の一方側を向いていたり長手方向の他方側を向いていたりしている。
【００９２】
このように、第３の表示部６０は、ナプキン１の幅方向に沿う折り部Ｆ３，Ｆ４が１回以上展開された状態で視認可能であることが好ましい。そうすることで、ナプキン１の前後方向の折りが展開された状態（図４）で、着用者は第３の表示部６０を視認することになる。よって、着用者は、第３の表示部６０がナプキン１の前後方向を示すことをより認識しやすくなる。
【００９３】
また、第３の表示部６０は、個包装体８０の折り部Ｆ１〜Ｆ４が全て展開された状態（図５）で視認可能であってもよい。つまり、ナプキン１の肌側面と共に、包装材８１の内側面側から視認可能な第３の表示部６０が、ナプキン１の前後方向を示してもよい。
この場合、包装材８１の内側面の第３の表示部６０と、ナプキン１の肌側面の表示部４０とが同時に視認されるため、着用者はナプキン１の前後方向をより認識しやすくなる。
【００９４】
図１２は、変形例の個包装体８０の展開途中の平面図である。個包装体８０の折り方は本実施形態に例示するものに限定されない。例えば、ナプキン１の前後方向に沿う折り部を有さず、幅方向に沿う折り部のみを有し、３つ折り又は４つ折りされた個包装体であってもよい。その場合、幅方向に沿う折り部が１回以上展開された状態で第３の表示部が視認されるとよい。図１２は３つ折りされた変形例の個包装体８０の幅方向に沿う折り部Ｆが１回展開された状態を示す。この状態でナプキン１と共に視認される包装材８１（外側面）の装飾８３が第３の表示部６０に相当する。すなわち、包装材８１の装飾８３は、その上下方向がナプキン１の前後方向に沿い、その上側がナプキン１の前側（止着テープ８２側）に対応しているとよい。
【００９５】
さらに、幅方向に沿う折り部が１回以上展開された状態で、ナプキン１の肌側面の表示部４０と、ナプキン１の非肌側面の第２の表示部５０の少なくとも一方が、視認可能であるとよい。図１２では、幅方向に沿う折り部Ｆが１回展開された展開途中のナプキン１において、ナプキン１の肌側面の前側に設けられた熊の図柄が表示部４０として視認される。また、幅方向の内側に折り返されたウィング部１ｗの非肌側面に設けられた熊の図柄や文字が第２の表示部５０として視認される。そのため、着用者は個包装体８０の展開時に表示部４０や第２の表示部５０を視認することができ、ナプキン１の前後方向を認識しやすくなる。さらに、包装材８１が取り外されたナプキン１の単体においても、表示部４０や第２の表示部５０が視認され、着用者はナプキン１の前後方向をより認識しやすくなる。
【００９６】
上記のように個包装体８０の展開時に表示部４０や第２の表示部５０が視認される場合、包装材８１が第３の表示部６０を備えていなくてもよい。しかし、図１２に示すように、個包装体８０の展開途中に、ナプキン１の表示部４０や第２の表示部５０と共に、包装材８１の第３の表示部６０が同時に視認されることで、着用者はナプキン１の前後方向をより認識しやすくなる。
【００９７】
ただし、上記に限定されず、第３の表示部６０は、展開前の個包装体８０で視認される表示であってもよい。例えば、止着テープ８２が取り付けられた包装材８１の近傍に、「前」を示す第３の表示部を設けてもよい。また、止着テープ８２に「前」を示す表示部を設けてもよい。
【００９８】
また、包装材８１は、第３の表示部６０以外に、個包装体８０を展開する方向を示す表示８４を有していてもよい。この表示８４（図１１に示す「ＯＰＥＮ」や矢印）の上下方向が個包装体８０を展開する方向（図１１の幅方向）に沿っていることで、着用者は個包装体８０を展開する方向を認識しやすくなる。そのため、この表示８４はナプキン１の前後方向に沿っていなくてもよい。
【００９９】
＝＝＝個包装体（吸収性物品包装体）のパッケージ９０＝＝＝
図１３は、個包装体のパッケージ９０の斜視図である。図１４Ａは、パッケージ９０の裏面図であり、図１４Ｂは、パッケージの側面図である。
【０１００】
パッケージ９０は、ナプキン１の個包装体８０と、個包装体８０を収容する袋体９１を有する。袋体９１は、少なくとも合成樹脂を含むフィルム状の部材で形成された袋状の部材である。本実施形態では、透明の低密度ポリエチレン層（ＬＤＰＥ）と乳白色のポリエチレン層（ＰＥ）が接着した状態のフィルム部材によって形成されている。なお、図１３に示すパッケージ９０は略直方体形状であるが、パッケージの形状は特に限定されず、例えば筒状の包装材の上下を封じた袋形状のパッケージ等であってもよい。
【０１０１】
そして、パッケージ９０の袋体９１が、ナプキン１の前後方向を示す第４の表示部７０を有することが好ましい。第４の表示部７０は、より確実に着用者に視認されるように、パッケージ９０の外側から視認可能であることが好ましい。
【０１０２】
具体的には、第４の表示部７０として、袋体９１の裏面（図１４Ａ）に、ナプキン１を表す図柄７１と、そのナプキン１の前後方向を示す文字７２が設けられている。文字７２は、ナプキン１の図柄７１の前方領域に設けられた「腹部熱感」という文字である。これを見た着用者は、ナプキン１における幅広な前方領域が腹部に対応することを認識できる。
【０１０３】
また、袋体９１の側面（図１４Ｂ）に、第４の表示部７０として、ナプキン１の着用方法を説明する表示７３が設けられている。具体的には、「ナプキンの先端部分にある熊の画像をへその下の方に当ててください。」という表示７３である。これを見た着用者は、ナプキン１の熊の図柄４１が自身の下腹部に当たるように、正しい前後の向きでナプキン１を装着できる。
【０１０４】
このようにパッケージ９０に第４の表示部７０が設けられていることで、着用者は、パッケージ９０の購入時やパッケージ９０の開封時に、第４の表示部７０を見て、ナプキン１の前後方向を認識しやすくなる。さらに、着用者は、ナプキン１の装着時に、ナプキン１の肌側面の表示部４０を見てナプキン１を下着に貼付する。よって、着用者はナプキン１の前後方向をより認識しやすくなり、正しい前後の向きでナプキン１が装着されやすくなる。ただし、図１４Ｂに示す第４の表示部７０は一例であり、これに限定されず、例えば、ヒトがナプキン１を着用している状態を示す図柄等を第４の表示部としてもよい。
【０１０５】
また、パッケージ９０の袋体９１が、温感剤３０の機能を想起させる想起表示を、外部から視認可能に有することが好ましい。本実施形態では、製品名表示７４の「ＨＯＴ暖℃」が、想起表示でもある。「ＨＯＴ暖℃」の「ＨＯＴ」や「暖」は、いずれも温感剤３０による温め機能を想起させるものである。具体的には、袋体６１の正面（図１３）において、想起表示である「ＨＯＴ暖℃」より外側の領域を黒色等の濃い色とし、「ＨＯＴ暖℃」の文字の縁を赤色（所定の色）で着色し、「ＨＯＴ暖℃」の文字の内側に、箔押し加工で銀色の粒子状の金属が圧着されている。なお、箔押し加工による圧着させる金属は、粒子状でもシート状、ブロック状等、任意の状態の金属を用いることができる。これによって、「ＨＯＴ暖℃」の文字の内側の金属で、「ＨＯＴ暖℃」の文字の縁の赤色が乱反射して、「ＨＯＴ暖℃」の文字が立体感のある文字となり、着用者が想起表示に着目しやすくなり、着用者は、温感剤３０の機能を認識しやすくなる。また、「ＨＯＴ暖℃」より外側の領域を黒色等の濃い色とすることで、より「ＨＯＴ暖℃」の文字を目立たせることができる。
【０１０６】
以上、本考案の実施形態について説明したが、上記の実施形態は、本考案の理解を容易にするためのものであり、本考案を限定して解釈するためのものではない。また、本考案は、その趣旨を逸脱することなく、変更や改良され得るとともに、本考案にはその等価物が含まれるのは言うまでもない。
【０１０７】
例えば、ナプキン１が表示部４０を有していればよく、ナプキン１が第２の表示部５０を有さなくてもよいし、第３の表示部６０を有さない包装材８１にナプキン１が包装されていてもよいし、第４の表示部７０を有さないパッケージ９０にナプキ１が封入されていてもよい。
【０１０８】
また、上記の実施形態では、ナプキン１に配置される所定の機能を発揮する剤として、温感剤３０を例示したが、これに限るものではない。例えば、所定の機能を発揮する剤として、冷感剤、漢方薬剤、香料剤、皮膚収斂剤、抗炎症剤、抗菌剤、ｐＨ調整剤、保湿剤等を例示できる。これらは周知のものを採用できる。また、ナプキン１は複数種類の剤を有していてもよく、複数種類のうちの少なくとも１つの剤が、ナプキン１の前後方向の中心に対して非対称に配置されていればよい。また、所定の機能を発揮する剤は、吸収性能以外の機能を発揮する剤であることが好ましいが、吸収性能を発揮する剤であってもよい。
【符号の説明】
【０１０９】
１  生理用ナプキン（吸収性物品）、
１Ａ  前方領域、１Ｂ  後方領域、１ｗ  ウィング部、
２  吸収体、３  肌側シート、４  中間シート、５  非肌側シート、
６  サイドシート、７  温感剤保持シート、８  溶着部、
２０  圧搾部、
３０  温感剤（所定の機能を発揮する剤）、
３１  温感剤配置領域（配置領域）、
４０  表示部、４４  表示部、
５０  第２の表示部、６０  第３の表示部、７０  第４の表示部、
８０  個包装体、８１  包装材、８２  止着テープ、８３  装飾、
９０  パッケージ、９１  袋体、
Ｆ１〜Ｆ４  折り部、
【図１】
0003227494.tif 000003
【図２】
0003227494.tif 000004
【図３】
0003227494.tif 000005
【図４】
0003227494.tif 000006
【図５】
0003227494.tif 000007
【図６】
0003227494.tif 000008
【図７】
0003227494.tif 000009
【図８】
0003227494.tif 000010
【図９】
0003227494.tif 000011
【図１０】
0003227494.tif 000012
【図１１】
0003227494.tif 000013
【図１２】
0003227494.tif 000014
【図１３】
0003227494.tif 000015
【図１４】
0003227494.tif 000016